(57)【要約】【課題】背体端部が背差し込みパイプに接触する部分の厚みが薄くても、背体端部が背体にかかる荷重に充分に耐え得るパイプ椅子を提供する。【解決手段】立設パイプを含む脚パイプと立設パイプ１１、１２の中間部分に溶接される座支持パイプ１４、１５、１６とで構成される椅子フレーム本体１０と、座体２０と、立設パイプ１１，１２の上部に取り付けられた背差し込みパイプ１７と、背差し込みパイプ１７どうしを連結する背体３０と、から成るパイプ椅子において、背差し込みパイプ１７の上部にスリット１７ｂをあけ、このスリット１７ｂにＴ字形背体支持片４０の中央部を挿入し、背体３０の両端の下部に背差し込みパイプの上部とＴ字形背体支持片４０を収納する収納穴を形成し、この収納穴に背差し込みパイプの上部１１、１２とＴ字形背体支持片４０とを収納した。【選択図】図１
2009100999.tif 000002
【特許請求の範囲】
【請求項１】
背差し込みパイプと、前記背差し込みパイプどうしを連結する背体と、を備えたパイプ椅子において、
前記背差し込みパイプの上部に前記背差し込みパイプの厚みを貫通するスリットをあけ、
前記スリットに背体支持片を挿入し、
前記背体の両端の下部に前記背差し込みパイプの上部と前記背体支持片を収納する収納穴を形成し、
前記背体の前記収納穴に前記背差し込みパイプの上部と前記背体支持片とを収納することによって、前記背体で前記背差し込みパイプどうしを連結したことを特徴とするパイプ椅子。
【請求項２】
上部が立設した立設パイプを含み下部が水平方向に延びる脚パイプと、前記脚パイプの立設パイプの中間部分に溶接される座支持パイプと、で構成される椅子フレーム本体と、
前記座支持パイプの上に載置される座体と、
前記立設パイプの上部に取り付けられた背差し込みパイプと、
前記背差し込みパイプどうしを連結する背体と、から構成されるパイプ椅子において、
前記背差し込みパイプの上部に前記背差し込みパイプの厚みを貫通するスリットをあけ、
前記スリットにＴ字形背体支持片の中央部を挿入し、
前記背体の両端の下部に前記背差し込みパイプの上部と前記Ｔ字形背体支持片を収納する収納穴を形成し、
前記背体の前記収納穴に前記背差し込みパイプの上部と前記Ｔ字形背体支持片とを収納することによって、前記背体で前記背差し込みパイプどうしを連結したことを特徴とするパイプ椅子。
【請求項３】
上部が立設した立設パイプを含み下部が水平方向に延びる脚パイプと、前記脚パイプの立設パイプの中間部分に溶接される座支持パイプと、で構成される椅子フレーム本体と、
前記座支持パイプの上に載置される座体と、
前記立設パイプの上部に取り付けられた背差し込みパイプと、
前記背差し込みパイプどうしを連結する背体と、から構成されるパイプ椅子において、
前記背差し込みパイプの上端から下方に延びるスリットをあけ、
前記背差し込みパイプの上端からコ字形背体支持片の連結部を前記スリットに挿入し、
前記背体の両端の下部に前記背差し込みパイプの上部と前記コ字形背体支持片を収納する収納穴を形成し、
前記背体の前記収納穴に前記背差し込みパイプの上部と前記コ字形背体支持片とを収納することによって、前記背体で前記背差し込みパイプどうしを連結したことを特徴とするパイプ椅子。
【請求項４】
前記背体の前記背差し込みパイプに当接する部位の厚みが前記立設パイプの厚みと等しく、前記背体の前記背体支持片に当接する部位近傍の厚みが前記立設パイプの厚みよりも厚いことを特徴とする請求項１〜３のいずれか１項記載のパイプ椅子。
【請求項５】
前記背体の端部と前記背差し込みパイプとをネジで固定したことを特徴とする請求項４記載のパイプ椅子。
【発明の詳細な説明】
【技術分野】
【０００１】
本発明は、パイプで形成されたパイプ椅子に関し、特に、椅子フレーム本体への背体の取り付け構造に関する。
【背景技術】
【０００２】
金属パイプ製の椅子フレームに座体や背体を固定するしたパイプ椅子が最近多種開発されている。このようなパイプ椅子において、背体を椅子フレームに固定する固定の仕方に特許文献１または２に示すようなものがある。
【特許文献１】特開２００７−６８９０２号公報
【特許文献２】特開２００４−１４７８９７号公報
【０００３】
特許文献１記載の発明は、座支持パイプの上部を背体とこれに対向する対向板で挟み、両者をネジ止めするものである。
特許文献２記載の発明は、背体を座支持パイプの上部にリベットで着脱自在に取り付けるものである。
【０００４】
しかしながら、特許文献１および２に示す椅子にあっては、ネジやリベットで座体を座支持パイプに固定するためには、座体の孔と座支持パイプの孔とを正確に位置あわせする必要があり、生産性向上のためのネックとなっていた。
また、特許文献１および２に示す椅子にあっては、座体に対して水平方向の力が加わった場合の座体と座支持パイプのズレを防止するのはネジやリベットのみであるため、堅固な固定のためには多数のネジや多数のリベットを使用しなければならないので、作業が繁雑となり生産性が悪く、しかもコスト高にもなっていた。
さらに、特許文献１および２に示す椅子にあっては、背体の固定に際してもネジやリベットで背体を座支持パイプに固定したため、多数のネジや多数のリベットを使用しなければならないので、同じく作業が繁雑となり生産性が悪く、しかもコスト高にもなっていた。
【０００５】
上記課題を解決するために、本出願人は、本発明の前提となる先行発明を開発した。以下、その先行発明について簡単に説明する。
図７は先行発明に係るパイプ椅子で、椅子フレーム本体１０、座体２０、背体３０の３部品に分解して示した斜視図である。
図において、１４は２本の立設パイプ１１、１２どうしを連結する中部連結パイプで、２本の立設パイプ１１、１２のくの字の屈曲部近傍にそれぞれ溶接されている。１５、１６は半環状パイプで、これは中部連結パイプ１４を挟んで前方（椅子に腰掛けたときの膝側）と後方（椅子に腰掛けたときの背側）でそれぞれ中部連結パイプ１４に溶接されている。半環状パイプ１５、１６２個を対向させて中部連結パイプ１４に溶接することで１個の丸い環状を構成し、この環状パイプと環状パイプの直径を構成する中部連結パイプ１４とで座体２０を支持する。
また、立設パイプ１１、１２の上部に背差し込みパイプ１７が埋め込まれ、ネジ１７ａで止められている。
背差し込みパイプ１７が背体３０の両端に形成された挿入穴に挿入されることで、図６のように背体３０が立設パイプ１１、１２の上部に固定され、全体でパイプ椅子１が完成する。
なお、１８は床をキズつかないように守り、かつ椅子が滑らないように立設パイプ１１、１２と下部連結パイプ１３の床側に取り付けられたプラパートである。
【０００６】
図８は図７の脚パイプを構成する３部品を示す図である。（ａ）は立設パイプ、（ｂ）は下部連結パイプ、（ｃ）繋ぎパイプのそれぞれ三面図で、（イ）は正面図、（ロ）は平面図、（ハ）は側面図である。
図８（ａ）の（イ）において、立設パイプ１１、１２は、上部がくの字形をしており、下部は床面と平行に伸びている。図８（ａ）の（ロ）および（ハ）から判るように、平面図および側面図で見た立設パイプ１１、１２は真っ直ぐに延びている。
図８（ｂ）の（ロ）において、下部連結パイプ１３はＵ字形をしており、その中心位置と左右対称の３箇所の位置にプラパート１８（図７）を嵌め込むためのプラパート嵌め込み穴１３ａがあけられている。なお、（ｂ）の（イ）および（ハ）から判るように、正面図および側面図で見た下部連結パイプ１３は真っ直ぐに延びている。
図８（ｃ）の繋ぎパイプ１９は（ａ）の立設パイプ１１、１２の下底部と（ｂ）の下部連結パイプ１３のＵ字形の両端部とを連結するためのパイプで、立設パイプ１１、１２の下底部と下部連結パイプ１３のＵ字形の両端部の両方にそれぞれ半分ずつ嵌挿されることで両者を連結する。繋ぎパイプ１９は図（イ）、（ロ）、（ハ）から判るように真っ直ぐに延びている。
【０００７】
図９は図７の座体２０を支持する座支持部分を構成する２種の部品を示す図である。（ａ）は中部連結パイプ、（ｂ）は半環状パイプで、（イ）は正面図、（ロ）は平面図、（ハ）は側面図である。
図９（ａ）の中部連結パイプ１４は立設パイプ１１、１２（図７）の上部のく字形の屈曲部の近傍にそれぞれ溶接されることで立設パイプ１１、１２どうしを連結するものである。図９（ａ）の正面図（イ）から判るように、中央部が若干床側に湾曲しており、平面図（ロ）では真っ直ぐに延びている。
図９（ｂ）の平面図（ロ）から判るように、半環状パイプ１５、１６は半環状形をしている。その中心位置から左右対称の位置に、座体２１（図１０）の突起２１ａ（図１０）を挿入するための貫通孔１５ａ、１５ａがあけられている。
なお、（ｂ）の（イ）および（ハ）から判るように、正面図および側面図で見た半環状パイプ１５、１６は真っ直ぐに延びている。
【０００８】
図１０は図７の座体２０の斜視図である。図７の座体２０はプラスチック成型される座体シェル２１と座体シェル２１の上にほぼ全面に張り付けられる布製または皮製のパッド２２から構成されている。図１０ではパッド２２を除いた座体シェル２１のみを示している。（ａ）は座体シェル２１の表（おもて）面と、（ｂ）は裏面である。（ａ）の座体シェル２１の表面は平らな面となっているが、後述する図１１（ｂ）から判るように中心部に向けて若干窪んでいる。
一方、座体シェル２１の裏面は、（ｂ）から判るように、全周に亘って周壁２１ｂが形成されている。周壁２１ｂは実際は高さが他の土手と比べてもう少し高い（図１１（ｂ）参照）が他部の構成を見易くするため、ここでは横断で低く描いている。。
さらに、 座体シェル２１の中部連結パイプ１４（図７）および環状パイプの各半環状パイプ１５、１６（図７）がそれぞれ当接する部位全体に沿って低い土手２１ｃ’、２１ｃが形成されている。土手２１ｃ’は中部連結パイプ１４が真っ直ぐ延びるその両側に、２１ｃは半環状パイプ１５、１６の収まる部位の内側にそれぞれ形成されている。そして、座体シェル２１には、半環状パイプ１５、１６にあけられた貫通孔１５ａ、１６ａに対向する部位にその貫通孔１５ａ、１６ａに挿入される突起２１ａが４箇所に形成されている。
【０００９】
また、図１０（ａ）および（ｂ）から判るように、座体シェル２１の形状は正確な円形ではなくて、円周上の１箇所とその直径方向の反対箇所にそれぞれ膨出部２１ｄ、２１ｄが形成されている。そして、この膨出部２１ｄ、２１ｄの大きさは、座体シェル２１に半環状パイプ１５、１６が当接する円形範囲の外側にまで延びて、そこに立設パイプ１１、１２の貫通できる貫通穴２１ｅが形成されるまで充分に膨出されている。
【００１０】
図１１は図１０の座体シェル２１を説明する図で、（ａ）はその三面図であり、（イ）は正面図、（ロ）は平面図、（ハ）は底面図である。（ｂ）は（ａ）の（ハ）におけるＢ−Ｂ矢視図、（ｃ）は同じく（ハ）におけるＣ−Ｃ矢視図、（ｄ）は（ハ）におけるＤ−Ｄ矢視図である。
（ａ）の平面図（ロ）から判るように、座体シェル２１には直径方向の両端にそれぞれ膨出部２１ｄ、２１ｄが形成され、かつこの膨出部２１ｄ、２１ｄに立設パイプ１１、１２の貫通する貫通穴２１ｅが形成されている。２１ｆはパッド２２（図７）の取り付け孔である。
また、（ａ）の（ハ）および（ｂ）から判るように、座体シェル２１の縁部全周に亘って下方（床方向）に延びる周壁２１ｂが形成され、かつ環状パイプの各半環状パイプ１５、１６（図７）がそれぞれ当接する部位全体に沿って半円状の土手２１ｃが形成され、さらに中部連結パイプ１４（図７）が当接する部位の両側に沿ってまっすぐな土手２１ｃ’が形成され、土手２１ｃと土手２１ｃ’はそれぞれ連結形成されている。また、周壁２１ｂと土手２１ｃとの間には突起２１ａが４箇所に形成されている。
【００１１】
図１１（ｂ）は座体シェル２１の中心を通る縦断面で、周壁２１ｂと土手２１ｃ、２１ｃ’の断面形状と高さが判る。周壁２１ｂの高さは土手２１ｃ、２１ｃ’の高さよりも約３倍高く、また、座シェル２１の座体は中央が若干窪んでいるのが判る。
（ｃ）は周壁２１ｂと膨出部２１ｄと立設パイプ貫通穴２１ｅとを拡大断面で示している。立設パイプ貫通穴２１ｅは周壁２１ｂに接近して形成されているのが判る。
（ｄ）は突起２１ａと周壁２１ｂと土手２１とを拡大断面で示している。
突起２１ａの内側にはネジの挿入される孔２１ｇが形成されている。周壁２１ｂの高さは、突起２１ａが半環状パイプ１５、１６（図７）の中に挿入され、反対側からネジ止めされた状態（図１４参照）で半環状パイプ１５、１６が周壁２１ｂで隠れて横から見えないような高さになっている。
以上が、パイプ椅子を構成する各部品の説明である。
【００１２】
次に、パイプ椅子の組み立てについて図７にて説明する。
図７の背差し込みパイプ１７、１７を、座体２０の座体シェル２１に形成された膨出部２１ｄ（図１０、図１１）の貫通穴２１ｅ（図１０、図１１）に通し、座体２０を下に下げていくと、座体２０は中部連結パイプ１４および半環状パイプ１５、１６（図７）に当接し、さらに、座体シェル２１の裏側に４箇所形成されている各突起２１ａ（図１０、図１１）が半環状パイプ１５、１６の各貫通孔１５ａ、１６ａ（図９）に挿入されて、停止する。図１２はこの状態を示す斜視図である。図１２のように、座体２０はその膨出部２１ｄの貫通穴２１に立設パイプ１１、１２が貫通して組み込んだ状態であるので、座体２０に横方向から強い衝撃が加わっても（特許文献１、２のネジ止め、リベット止めと違って）、座体２０が脚部から外れることは生じない。
図１２のように脚部に座体２０が組み込まれた後は、図７に示す背体３０の両端が立設パイプ１１、１２の上部の背差し込みパイプ１７に挿入されることで、図６のパイプ椅子が完成する。
【００１３】
図１３は組み立て完成した図６のパイプ椅子を示す図で、（ａ）は平面図、（ｂ）は底面図、（ｃ）は正面図、（ｄ）は側面図、（ｅ）は図ｄのＡ−Ａ矢視図である。（ｅ）において、中部連結パイプ１４および半環状パイプ１５、１６がそれぞれ座体シェル２１にネジ１５ｂ、１６ｂで固定され、半環状パイプ１５、１６の形成する円形の外側に立設パイプ１１、１２が座体シェル２１を貫通しているのが判る。したがって、立設パイプ１１、１２が座体シェル２１円形の外側にあることで、このパイプ椅子を多数脚上下に積み重ねることができる。
【００１４】
図１４は図１３（ｅ）のＢ−Ｂ矢視図で、半環状パイプの貫通孔に座体の突起を挿入して、ネジ止めした状態を示す断面図である。図において、座体シェル２１の裏側（パッド２２のない側）に４箇所（図では１個のみ表示）で形成された突起２１ａは、半環状パイプ１５にあけられた貫通孔１５ａに挿入された後、貫通孔１５ａの反対側からネジ１５ｂを突起２１ａの孔２１ｇにネジ込むことで、座体シェル２１と半環状パイプ１５と固定し、これによってネジの数が少ないにもかかわらず、座体２０と椅子フレーム本体１０とが堅固に固定された。
【発明の開示】
【発明が解決しようとする課題】
【００１５】
ところが、先行発明にあっては、背体端部が背差し込みパイプに接触する部分の厚みが薄いため、背体端部が背体にかかる荷重に耐えきれないケースが起きる可能性があることに気がついた。
また、特許文献１および２記載の発明は、背体が荷重に耐えるために多数のネジやビスを必要としており、生産性の問題があった。
本発明はこれらの問題を解決するためになされたもので、若干のネジの使用だけで済む生産性のよい、しかも背体端部が背差し込みパイプに接触する部分の厚みが薄くても背体端部が背体にかかる荷重に充分に耐え得るパイプ椅子を提供することを目的としている。
【課題を解決するための手段】
【００１６】
上記目的を達成するため、請求項１記載のパイプ椅子の発明は、背差し込みパイプと、前記背差し込みパイプどうしを連結する背体と、を備えたパイプ椅子において、前記背差し込みパイプの上部に前記背差し込みパイプの厚みを貫通するスリットをあけ、前記スリットに背体支持片を挿入し、前記背体の両端の下部に前記背差し込みパイプの上部と前記背体支持片を収納する収納穴を形成し、前記背体の前記収納穴に前記背差し込みパイプの上部と前記背体支持片とを収納することによって、前記背体で前記背差し込みパイプどうしを連結したことを特徴としている。
また、請求項２記載のパイプ椅子の発明は、上部が立設した立設パイプを含み下部が水平方向に延びる脚パイプと、前記脚パイプの立設パイプの中間部分に溶接される座支持パイプと、で構成される椅子フレーム本体と、前記座支持パイプの上に載置される座体と、前記立設パイプの上部に取り付けられた背差し込みパイプと、前記背差し込みパイプどうしを連結する背体と、から構成されるパイプ椅子において、前記背差し込みパイプの上部に前記背差し込みパイプの厚みを貫通するスリットをあけ、前記スリットにＴ字形背体支持片の中央部を挿入し、前記背体の両端の下部に前記背差し込みパイプの上部と前記Ｔ字形背体支持片を収納する収納穴を形成し、前記背体の前記収納穴に前記背差し込みパイプの上部と前記Ｔ字形背体支持片とを収納することによって、前記背体で前記背差し込みパイプどうしを連結したことを特徴としている。
【００１７】
請求項３記載のパイプ椅子の発明は、上部が立設した立設パイプを含み下部が水平方向に延びる脚パイプと、前記脚パイプの立設パイプの中間部分に溶接される座支持パイプと、で構成される椅子フレーム本体と、前記座支持パイプの上に載置される座体と、前記立設パイプの上部に取り付けられた背差し込みパイプと、前記背差し込みパイプどうしを連結する背体と、から構成されるパイプ椅子において、前記背差し込みパイプの上端から下方に延びるスリットをあけ、前記背差し込みパイプの上端からコ字形背体支持片の連結部を前記スリットに挿入し、前記背体の両端の下部に前記背差し込みパイプの上部と前記コ字形背体支持片を収納する収納穴を形成し、前記背体の前記収納穴に前記背差し込みパイプの上部と前記コ字形背体支持片とを収納することによって、前記背体で前記背差し込みパイプどうしを連結したことを特徴としている。
【００１８】
請求項４記載の発明は、請求項１〜３のいずれか１項記載のパイプ椅子において、前記背体の前記背差し込みパイプに当接する部位の厚みが前記立設パイプの厚みと等しく、前記背体の前記背体支持片に当接する部位近傍の厚みが前記立設パイプの厚みよりも厚いことを特徴としている。
【００１９】
請求項５記載の発明は、請求項４記載のパイプ椅子において、前記背体の端部と前記背差し込みパイプとをネジで固定したことを特徴としている。
【発明の効果】
【００２０】
上記構成により、ネジやリベットの使用個数を大幅に減らし、かつ背体の厚みが薄くても背体にかかる荷重を分散して受け止めることができるパイプ椅子得られるようになる。
【発明を実施するための最良の形態】
【００２１】
以下、本発明を実施するための最良の形態について、実施例１および実施例２で詳しく説明する。
【実施例１】
【００２２】
図１は本発明の実施例１に係るパイプ椅子を下から椅子フレーム本体１０、座体２０、背体３００の３部品に分解して示した斜視図である。
図において、１４は２本の立設パイプ１１、１２どうしを連結する中部連結パイプで、２本の立設パイプ１１、１２のくの字の屈曲部近傍にそれぞれ溶接されている。１５、１６は半環状パイプで、これは中部連結パイプ１４を挟んで前方（椅子に腰掛けたときの膝側）と後方（椅子に腰掛けたときの背側）でそれぞれ中部連結パイプ１４に溶接されるている。半環状パイプ１５、１６の２本を対向させて中部連結パイプ１４に溶接することで１個の丸い環状を構成し、この環状パイプと環状パイプの直径を構成する中部連結パイプ１４とで座体２０を支持する。
また、立設パイプ１１、１２の上部に背差し込みパイプ１７０、１７０がそれぞれ埋め込まれ、ネジ１７ａで止められている。各背差し込みパイプ１７０、１７０には背差し込みパイプ１７０の厚みを貫通するスリット１７ｂが上部に設けられており、このスリット１７ｂにＴ字形背体支持片４０の中央部が挿入される。
また、背差し込みパイプ１７０のスリット１７ｂの近傍にはネジ孔１７ｃ（図４（ｂ））があけられている。これは、後述する背体３００と背差し込みパイプ１７とを貫いて固定するネジ５０（図４（ｂ））を通すためのネジ孔である。
【００２３】
図２の斜視図は、図１で分解して図示した本発明に係るＴ字形背体支持片４０と背差し込みパイプ１７０、１７０とを、ここではＴ字形背体支持片４０、４０がスリット１７ｂ（図１）に挿入されて係止した状態を示している。
このようなＴ字形背体支持片４０を係止した背差し込みパイプ１７０の上部に、背体３００の両端部が係合するには、背体３００の両端下部にこのような構造に対応した収納穴が形成されることが必要となる。
【００２４】
図３はこれに対応するように形成された背体３００の両端下部の収納穴を示す底面から見た斜視図である。図において、３０ａは背差し込みパイプ１７０（図２）が収納される円筒状の窪みを内部に形成する壁面である。３０ｂはＴ字形背体支持片４０（図２）の頭部が収納される溝を内部に形成する壁面である。３０ｃは剛性を持たせるためのリブである。３０ｄは背体３００と背差し込みパイプ１７０とを貫いて固定するネジ５０（図４（ｂ））を通すためのネジ孔である。このネジ５０により、背体３００の円筒状の窪みに背差し込みパイプ１７０が収納された状態を確実に保持させることができる。
【００２５】
図４は図３の背体を背差し込みパイプに差し込んだ状態を説明する図で、（ａ）はパイプ椅子の側面図、（ｂ）は（ａ）のＡ−Ａ矢視図、（ｃ）は（ｂ）のＢ−Ｂ矢視図である。
（ａ）において、背体３００を背差し込みパイプ１７０（図２）に差し込んだ状態で、背差し込みパイプ１７０は背体３００で見えなくなっている。また、背体３００と立設パイプ１２とは肉厚が同じ（後述）になっているので、境目に段差がないのが判る。
（ｂ）において、１７０は背差し込みパイプ、３００は背差し込みパイプ１７０に差し込まれた背体、４０は背差し込みパイプ１７０のスリット１７ｂ（図１）に挿入・係止されたＴ字形背体支持片、５０は背体３００のネジ孔３０ｄと背差し込みパイプ１７０のネジ孔１７ｃとを貫通して両者を一体にネジ止めするネジである。（ｂ）の横断面図から判るように、背体３００の端部内の円筒状壁面３０ａの半周部位３０ｅは立設パイプ１２の厚みと同じで薄く形成され、これに対して溝３０ｂの近傍部位３０ｆの厚みは厚く形成されている。
（ｃ）の縦断面図から、背体３００の端部内の円筒状窪みの半周部位３０ｅは、立設パイプ１２の厚みと同じで薄く形成されているので、背体３００が差し込まれた状態で立設パイプ１２とは段差のないツライチとなっている。
以上のようにスリット１７ｂを形成した背差し込みパイプ１７０とそれに係合するＴ字形背体支持片４０とを組合せかつそれに対応した形状の収納穴を備えた構成の背体３００とを用いることで、背体３００の厚みが薄く（半周部位３０ｅ）ても、Ｔ字形背体支持片４０により背体３００を支持でき、Ｔ字形背体支持片４０が背差し込みパイプ１７０の肉厚の側部に取り付けられているので、背体３００にかかる荷重を分散して受け止めることができ、したがって背体３００端部が耐久性を備えることとなる。
【実施例２】
【００２６】
図５は本発明の実施例２に係るパイプ椅子の椅子フレーム本体の斜視図である。脚パイプと座支持パイプとで構成される椅子フレーム本体１０と座支持パイプの上に載置される座体２０（ここでは図示省略）は実施例１と同じ構造であるので、説明は省略する。
実施例２が実施例１と異なるのは、
（１）背差し込みパイプ１７０’と、
（２）背体支持片４０’と、
（３）背体３００’、
の３部品の形状が異なっていることである。
（１）背差し込みパイプ１７０’の形状：
実施例１の背差し込みパイプ１７０はスリット１７ｂがパイプの上端から間隔をおいて設けられていたのに対して、ここでは背差し込みパイプ１７０’、１７０’の上端から背差し込みパイプ１７０’の途中までスリット１７ｂ’が設けられている。
（２）背体支持片４０’の形状：
このスリット１７ｂ’に挿入される背体支持片４０’の形状は、Ｔ字状ではなくて、コ字形をした背体支持片である。したがって、このコ字形背体支持片４０’に設けられたスリット４０ｓ’先端から背差し込みパイプ１７０’の厚みに差し込まれると、コ字形背体支持片４０’の連結部が背差し込みパイプ１７０’のスリット１７ｂ’内にしっかりと係止されると同時に、コ字形背体支持片４０’に設けられたスリット４０ｓ’も背差し込みパイプ１７０’の肉厚部分をしっかりと係止するようになる。
なお、背差し込みパイプ１７０’のスリット１７ｂ’の近傍には、実施例１と同じく、ネジ孔１７ｃ（図４（ｂ））があけられているので、背体３００’と背差し込みパイプ１７０’とを貫いてネジ５０（図４（ｂ））が貫通して固定される。
（３）背体３００’の形状：
背体３００’の両端下部の収納穴には、上記背差し込みパイプ１７０’が収納される円筒状部分とコ字形背体支持片４０’が収納される溝部分とが形成されている。
【００２７】
この背差し込みパイプ１７０’に係止されコ字形背体支持片４０’の機能は、実施例１のＴ字形背体支持片４０のそれと実質同じである。すなわち、図３と同じ考え方で、背体３００’の両端の下部には、コ字形背体支持片４０’が係止した状態の背差し込みパイプ１７０’上部を収納するように、背差し込みパイプ１７０’が収納される円筒状部分とコ字形背体支持片４０’が収納される溝部分と形成されており、この収納穴にコ字形背体支持片４０’付き背差し込みパイプ１７０’の頭部が収納される。
これにより、コ字形背体支持片４０’が背差し込みパイプ１７０’の側部に取り付けられているので、背体３００’の円筒状部分の厚みが薄くても厚肉部位にあるコ字形背体支持片４０’によっても背体３００’を支持でき、したがって背体３００’にかかる荷重を分散して受け止めることができるようになる。
このように実施例２の構成によっても、背体の厚みが薄くても、背体支持片により背体を支持でき、背体にかかる荷重を分散して受け止めることができることとなる。また、背差し込みパイプの端部からのスリットの形成は実施例２の方が実施例１よりも簡単となる。
【００２８】
図６は本発明に係る背体３００（または３００’）を先行発明のパイプ椅子本体に使用した斜視図である。このように図６に係る椅子は、生産性がよくコストダウンとなる先行発明の特徴と背体にかかる荷重を分散でき耐久性のよい本発明の両方の特徴を備えたパイプ椅子となる。
以上のように、本発明によれば、スリットを形成した背差し込みパイプとそれに係合する背体支持片（Ｔ字形、コ字形）とを組合せかつそれに対応した構成の背体にすることで、背体の厚みが薄くても背体にかかる荷重を分散でき耐久性のよいパイプ椅子が得られることとなる。
【００２９】
なお、上記実施例１、２では、立設パイプ１１、１２の上部形状がくの字形であるとして説明したが、本発明によれば必ずしもくの字形に限定されるものではなく、真っ直ぐで直立した形状でも、傾斜した形状でも立設していれば形状は何でもかまわない。
また、２本の立設パイプ１１、１２と下部連結パイプからなる脚の実施例で説明したが、本発明によればもちろん３本足、４本足、それ以上であってもかまわない。
また、座支持パイプについても、２本の半環状パイプ１５、１６で円形の座支持パイプを構成するものとしたが、本発明によれば必ずしも円形に限定されるものではなく、四角形の座支持パイプでも、多角形の座支持パイプでも、楕円形の座支持パイプでも、中部連結パイプ１４に溶接される形状のものであれば、形状は何でもかまわない。
また、座支持パイプを中部連結パイプとこの中部連結パイプを挟んで前方と後方の２本の半開（半環状）パイプとから成るものと説明したが、本発明によればこれに限定されるものではなく、２個の半環状パイプのうちの１個の両端に外向けのまっすぐなパイプを一体に形成させて、このパイプ部分を立設パイプ（脚）パイプに溶接させて、他の半環状パイプをこのパイプ部分に溶接して、中部連結パイプを省略することも可能である。
また、背体支持片をＴ字形、コ字形で説明したが、その他、くさび状、Ｊ字状、Ｈ字状など、スリットに係合する形状であれば形状は何でもかまわない。
【図面の簡単な説明】
【００３０】
【図１】本発明に係るパイプ椅子を３部品に分解して示した斜視図である。
【図２】各立設パイプの上部に挿入された背差し込みパイプのスリットにＴ字形背体支持片が挿入・係止された状態を示す斜視図である。
【図３】背体の両端の下部に形成された収納穴を示す底面から見た斜視図である。
【図４】背体を背差し込みパイプに差し込む状態を説明する図で、（ａ）はパイプ椅子３の側面図、（ｂ）は（ａ）のＡ−Ａ矢視図、（ｃ）は（ｂ）のＢ−Ｂ矢視図である。
【図５】本発明の実施例２に係るパイプ椅子の椅子フレーム本体の斜視図である。
【図６】本発明に係るパイプ椅子の斜視図である。
【図７】先行発明に係るパイプ椅子を構成する３部品に分解した斜視図である。
【図８】図７の脚パイプを構成する（ａ）立設パイプと、（ｂ）下部連結パイプと、（ｃ）繋ぎパイプの各三面図（イの正面図、ロの平面図、ハの側面図）である。
【図９】図７の座支持パイプを構成する（ａ）中部連結パイプと、（ｂ）半環状パイプの各三面図（イの正面図、ロの平面図、ハの側面図）である。
【図１０】図７の座体の斜視図（ただし、パッドなし）で、（ａ）座体の表（おもて）面の図と、（ｂ）座体の裏面の図である。
【図１１】図１０の座体の（ａ）三面図（イの正面図、ロの平面図、ハの底面図）と、（ｂ）ハの側面図におけるＢ−Ｂ矢視図、（ｃ）ハの側面図におけるＣ−Ｃ矢視図、（ｄ）ハの側面図におけるＤ−Ｄ矢視図である。
【図１２】図７の脚パイプに図７の座体を組み込んだ状態を示す斜視図である。
【図１３】図６のパイプ椅子の（ａ）平面図、（ｂ）底面図、（ｃ）正面図、（ｄ）側面図、（ｅ）図ｄのＡ−Ａ矢視図である。
【図１４】図１３ｅのＢ−Ｂ矢視図で、半環状パイプの貫通孔に座体の突起を挿入して、ネジ止めした状態を示す断面図である。
【符号の説明】
【００３１】
１１、１２  立設パイプ
１３  下部連結パイプ
１３ａ  プラパート嵌め込み穴
１４  中部連結パイプ
１５、１６  半環状パイプ
１５ａ、１６ａ  貫通孔
１５ｂ、１６ｂ  ネジ
１７、１７０、１７０’  背差し込みパイプ
１７ａ  ネジ
１７ｂ、１７ｂ’  スリット
１７ｃ  ネジ孔
１８  プラパート
２０  座体
２１  座体シェル
２１ａ  突起
２１ｂ  周壁
２１ｃ、２１ｃ’  土手
２１ｄ  膨出部
２１ｅ  立設パイプ貫通穴
２１ｆ  パッド取付孔
２１ｇ  ネジ孔
２２  パッド
３０、３００、３００’  背体
３０ａ  円筒状の窪み形成する壁面
３０ｂ  溝形成壁面
３０ｃ  リブ
３０ｄ  ネジ孔
３０ｅ  半周部位（薄肉）
３０ｆ  頭部密着部位（厚肉）
４０  Ｔ字形背体支持片
４０’  コ字形背体支持片
４０ｓ’  コ字形背体支持片のスリット
５０  ネジ
【図１】
2009100999.tif 000003
【図２】
2009100999.tif 000004
【図３】
2009100999.tif 000005
【図４】
2009100999.tif 000006
【図５】
2009100999.tif 000007
【図６】
2009100999.tif 000008
【図７】
2009100999.tif 000009
【図８】
2009100999.tif 000010
【図９】
2009100999.tif 000011
【図１０】
2009100999.tif 000012
【図１１】
2009100999.tif 000013
【図１２】
2009100999.tif 000014
【図１３】
2009100999.tif 000015
【図１４】
2009100999.tif 000016